(57)【要約】【課題】近年主流となっているネマティック液晶及び位相差板を使用することができると共に、コントラスト比を維持しつつ着色光の位相の補正を行うことができるＳＴＮタイプ液晶表示装置を提供する。【解決手段】ＳＴＮタイプ液晶表示装置１００は、複屈折率Δｎ１を有するネマティック液晶１０及びそれを挟持する電極基板２０，３０から成るセルギャップｄ１の液晶セル４０と、電極基板２０，３０に対向する偏光板５０，６０と、表偏光板５０と表電極基板２０とに対向する位相差板７０とを備え、レタデーションΔｎ１＊ｄ１に対する位相差板７０のレタデーションΔｎ２＊ｄ２の比率が０．６７〜０．７３である。基準線に対して、偏光板５０の吸収軸がなす角の角度を０°＜α＜２５°、偏光板６０の吸収軸がなす角の角度を６０°＜β＜８５°、及び位相差板７０の光学軸がなす角の角度を４５°＜γ＜７０°、並びに表偏光板５０の吸収軸と電極基板２０のラビング軸との交差角の角度を３０°＜δ＜５５°とする。【選択図】　　　図１
2004133139.tif 000002
【特許請求の範囲】
【請求項１】
所定のねじれ角θ及び所定の複屈折率Δｎ１を有するネマティック液晶、並びに該ネマティック液晶を厚みｄ１の間隙に挟持し且つ所定方向のラビング軸を夫々有する２枚の電極基板から成る液晶セルと、該液晶セルの外側において該電極基板の夫々に対向し且つ所定方向の吸収軸を有する表偏光板及び裏偏光板と、前記２枚の電極基板の外側において当該２枚の電極基板のいずれか一方に対向し且つ所定のレタデーションΔｎ２＊ｄ２、及び所定方向の光学軸を有する位相差板とを備え、
前記ネマティック液晶のレタデーションΔｎ１＊ｄ１が８３５ｎｍ〜８６５ｎｍであって、該レタデーションΔｎ１＊ｄ１に対する前記位相差板のレタデーションΔｎ２＊ｄ２の比率が０．６７〜０．７３であるＳＴＮタイプ液晶表示装置において、
前記ラビング軸がなす交差角のうち狭角側の交差角を等分する線分である基準線に対して、前記表偏光板の吸収軸がなす角の角度をα、前記裏偏光板の吸収軸がなす角の角度をβ、及び前記位相差板の光学軸がなす角の角度をγ、並びに前記表偏光板の吸収軸と当該表偏光板に対向する電極基板のラビング軸との交差角の角度をδとするとき、
０°＜α＜２５°
６０°＜β＜８５°
４５°＜γ＜７０°
３０°＜δ＜５５°
としたことを特徴とするＳＴＮタイプ液晶表示装置。
【請求項２】
前記角度を、夫々
５°＜α＜１５°
７０°＜β＜８５°
４５°＜γ＜５５°
３５°＜δ＜４５°
としたことを特徴とする請求項１記載のＳＴＮタイプ液晶表示装置。
【請求項３】
前記角度を、夫々
１０°＜α＜２０°
６５°＜β＜７５°
５０°＜γ＜６０°
４０°＜δ＜５０°
としたことを特徴とする請求項１記載のＳＴＮタイプ液晶表示装置。
【請求項４】
前記角度を、夫々
１０°＜α＜２５°
７０°＜β＜８５°
４５°＜γ＜７０°
４０°＜δ＜５５°
としたことを特徴とする請求項１記載のＳＴＮタイプ液晶表示装置。
【請求項５】
前記角度を、夫々
１５°＜α＜２５°
７５°＜β＜８５°
５０°＜γ＜６５°
４５°＜δ＜５５°
としたことを特徴とする請求項４記載のＳＴＮタイプ液晶表示装置。
【請求項６】
所定のねじれ角θ及び所定の複屈折率Δｎ１を有するネマティック液晶、並びに該ネマティック液晶を厚みｄ１の間隙に挟持し且つ所定方向のラビング軸を夫々有する２枚の電極基板から成る液晶セルと、該液晶セルの外側において該電極基板の夫々に対向し且つ所定方向の吸収軸を有する表偏光板及び裏偏光板と、前記２枚の電極基板の外側において当該２枚の電極基板のいずれか一方に対向し且つ所定のレタデーションΔｎ２＊ｄ２、及び所定方向の光学軸を有する位相差板とを備え、
前記ネマティック液晶のレタデーションΔｎ１＊ｄ１が８３５ｎｍ〜８６５ｎｍであって、該レタデーションΔｎ１＊ｄ１に対する前記位相差板のレタデーションΔｎ２＊ｄ２の比率が０．６７〜０．７３であるＳＴＮタイプ液晶表示装置において、
前記ラビング軸がなす交差角のうち狭角側の交差角を等分する線分である基準線に対して、前記表偏光板の吸収軸がなす角の角度をα、前記裏偏光板の吸収軸がなす角の角度をβ、及び前記位相差板の光学軸がなす角の角度をγ、並びに前記表偏光板の吸収軸と当該表偏光板に対向する電極基板のラビング軸との交差角の角度をδとするとき、
１０°＜α＜２０°
７０°＜β＜８０°
１５°＜γ＜５０°
４０°＜δ＜５０°
としたことを特徴とするＳＴＮタイプ液晶表示装置。
【請求項７】
前記比が０．６８〜０．７３であって、前記位相差板の光学軸がなす角の角度を、
２０°＜γ＜４０°
としたことを特徴とする請求項６記載のＳＴＮタイプ液晶表示装置。
【請求項８】
前記裏偏光板側にバックライトを備えることを特徴とする請求項１乃至７のいずれか１項に記載のＳＴＮタイプ液晶表示装置。
【請求項９】
前記バックライトは前記裏偏光板側に積層されたことを特徴とする請求項８記載のＳＴＮタイプ液晶表示装置。
【請求項１０】
前記バックライトの照射光は白色であることを特徴とする請求項８又は９記載のＳＴＮタイプ液晶表示装置。
【請求項１１】
前記バックライトと前記表偏光板との間において介在する三原色のカラーフィルターを備えることを特徴とする請求項８乃至１０のいずれか１項に記載のＳＴＮタイプの液晶表示装置。
【請求項１２】
前記裏偏光板側に光反射板を備えることを特徴とする請求項１乃至７のいずれか１項に記載のＳＴＮタイプ液晶表示装置。
【請求項１３】
前記光反射板は前記裏偏光板側に積層されたことを特徴とする請求項１２記載のＳＴＮタイプ液晶表示装置。
【請求項１４】
前記光反射板は可視光を反射することを特徴とする請求項１２又は１３記載のＳＴＮタイプ液晶表示装置。
【請求項１５】
前記位相差板は高分子一軸延伸フィルムから成ることを特徴とする請求項１乃至１４のいずれか１項に記載のＳＴＮタイプ液晶表示装置。
【請求項１６】
前記所定のねじれ角θは、２２０〜２５０°であることを特徴とする請求項１乃至１５のいずれか１項に記載のＳＴＮタイプの液晶表示装置。
【発明の詳細な説明】
【０００１】
【発明の属する技術分野】
本発明は、ＳＴＮ（Ｓｕｐｅｒ　Ｔｗｉｓｔｅｄ　Ｎｅｍａｔｉｃ）タイプ液晶表示装置に関し、特に、位相差板を用いて無彩色の液晶表示を行うＳＴＮタイプ液晶表示装置に関する。
【０００２】
【従来の技術】
従来より、液晶による画面表示を行うためにＳＴＮタイプと呼ばれる液晶表示装置が用いられている。このＳＴＮタイプ液晶表示装置は、正の誘電異方性を有すると共に所定のねじれ角θを有するネマティック液晶及び該ネマティック液晶を挟持する２枚の電極基板から成る液晶セルと、該液晶セルの外側において該２枚の電極基板の夫々に対向し、吸収軸（あるいは偏光軸）を有する２枚の偏光板とを備える。
【０００３】
上記液晶セルの製造では、まず、上記２枚の電極基板の夫々に、該電極基板におけるネマティック液晶に当接する表面を布等で所定の方向にこすることにより当該表面に所定の方向のラビング軸を与えるラビング法による配向処理を施す。次いで、配向処理が施された２枚の電極基板をセルギャップ（所定間隔）ｄが、例えば６μｍ確保されるように対向させ、当該対向させた２枚の電極基板は、それらの間隙に、例えばビフェニール系液晶及びエステルシクロヘキサン系液晶を主成分とし、且つ少量の旋光性物質が添加されたネマティック液晶を挟持する。その後、当該間隙の周縁部をシール材により密封する。一般に、ネマティック液晶を構成する液晶分子はらせん状構造に配列するので、このとき、上記ネマティック液晶は所定のねじれ角θを有する。例えば、上記２枚の電極基板を対向させるとき、上記セルギャップｄが６μｍであって、２枚の電極基板に与えられたラビング軸が交差する角度が２６０°である場合、これらに応じてネマティック液晶が有するねじれ角θは２６０°となる。
【０００４】
上記ねじれ角２６０°を有するネマティック液晶において、複屈折率Δｎは例えば０．０８３であると共に、当該複屈折率Δｎとセルギャップｄとの積、即ちレタデーション（ｒｅｔａｒｄａｔｉｏｎ）Δｎ＊ｄは５００〜１２００ｎｍである。
【０００５】
また、上記ＳＴＮタイプ液晶表示装置の構成に、所定のレタデーションΔｎ＊ｄと所定の方向の光学軸を有する位相差板としてのポリカーボネートフィルムであって、レタデーションΔｎ＊ｄが１８０〜７００ｎｍのものを加えたＳＴＮタイプ液晶表示装置が提案されている（特許文献１）。この提案によれば、該位相差板により従来の液晶表示装置の背景又は表示部の少なくとも一方に色を付着させる原因である着色光の位相を補正することができ、表示が無彩色又はカラーのＳＴＮタイプ液晶表示装置を提供することができる。
【０００６】
【特許文献１】
特許第３０４００７２号明細書
【０００７】
【発明が解決しようとする課題】
しかしながら、近年、ネマティック液晶において黄みの発生抑制の面からレタデーションΔｎ＊ｄが８３５〜８６５ｎｍの範囲のものが、また、位相差板においてネマティック液晶の黄みの補正の面からレタデーションΔｎ＊ｄが５７０〜６１０ｎｍのものが主流となっている。従って、近年主流となっているネマティック液晶及び位相差板を使用するＳＴＮタイプ液晶表示装置において着色光の位相の補正を行うためには、ネマティック液晶のレタデーションΔｎ＊ｄに対する位相差板のレタデーションΔｎ＊ｄの比率の範囲は０．６７〜０．７３であることが前提となる。そのため、この範囲のレタデーション比を有するＳＴＮタイプ液晶表示装置のコントラスト比を制御するためには、上記比率以外のパラメータを考慮する必要がある。
【０００８】
本発明の目的は、近年主流となっているネマティック液晶及び位相差板を使用することができると共に、着色光の位相の十分な補正を行うことができるＳＴＮタイプ液晶表示装置を提供することにある。
【０００９】
本発明の他の目的は、近年主流となっているネマティック液晶及び位相差板を使用することができると共に、コントラスト比を向上させることができるＳＴＮタイプ液晶表示装置を提供することにある。
【００１０】
【課題を解決するための手段】
上記目的を達成するために、請求項１記載のＳＴＮタイプ液晶表示装置は、所定のねじれ角θ及び所定の複屈折率Δｎ１を有するネマティック液晶、並びに該ネマティック液晶を厚みｄ１の間隙に挟持し且つ所定方向のラビング軸を夫々有する２枚の電極基板から成る液晶セルと、該液晶セルの外側において該電極基板の夫々に対向し且つ所定方向の吸収軸を有する表偏光板及び裏偏光板と、前記２枚の電極基板の外側において当該２枚の電極基板のいずれか一方に対向し且つ所定のレタデーションΔｎ２＊ｄ２、及び所定方向の光学軸を有する位相差板とを備え、前記ネマティック液晶のレタデーションΔｎ１＊ｄ１が８３５ｎｍ〜８６５ｎｍであって、該レタデーションΔｎ１＊ｄ１に対する前記位相差板のレタデーションΔｎ２＊ｄ２の比率が０．６７〜０．７３であるＳＴＮタイプ液晶表示装置において、前記ラビング軸がなす交差角のうち狭角側の交差角を等分する線分である基準線に対して、前記表偏光板の吸収軸がなす角の角度をα、前記裏偏光板の吸収軸がなす角の角度をβ、及び前記位相差板の光学軸がなす角の角度をγ、並びに前記表偏光板の吸収軸と当該表偏光板に対向する電極基板のラビング軸との交差角の角度をδとするとき、０°＜α＜２５°，６０°＜β＜８５°，４５°＜γ＜７０°，３０°＜δ＜５５°としたことを特徴とする。
【００１１】
請求項１記載のＳＴＮタイプ液晶表示装置によれば、ネマティック液晶のΔｎ１＊ｄ１が８３５ｎｍ〜８６５ｎｍであって、該Δｎ１＊ｄ１に対する前記位相差板のΔｎ２＊ｄ２の比率が０．６７〜０．７３であるＳＴＮタイプ液晶表示装置において、基準線に対して、表偏光板の吸収軸がなす角の角度を０°＜α＜２５°、裏偏光板の吸収軸がなす角の角度を６０°＜β＜８５°、及び位相差板の光学軸がなす角の角度を４５°＜γ＜７０°、並びに表偏光板の吸収軸と当該表偏光板に対向する電極基板のラビング軸との交差角の角度を３０°＜δ＜５５°としたので、近年主流となっているネマティック液晶及び位相差板を使用することができると共に、着色光の位相の十分な補正を行うことができる。また、コントラスト比を１０以上とすることができる。
【００１２】
請求項２記載のＳＴＮタイプ液晶表示装置は、請求項１記載のＳＴＮタイプ液晶表示装置において、前記角度を、夫々５°＜α＜１５°，７０°＜β＜８５°，４５°＜γ＜５５°，３５°＜δ＜４５°としたことを特徴とする。
【００１３】
請求項２記載のＳＴＮタイプ液晶表示装置によれば、角度を夫々５°＜α＜１５°，７０°＜β＜８５°，４５°＜γ＜５５°，３５°＜δ＜４５°としたので、コントラスト比を１５以上とすることができる。
【００１４】
請求項３記載のＳＴＮタイプ液晶表示装置は、請求項１記載のＳＴＮタイプ液晶表示装置において、前記角度を、夫々１０°＜α＜２０°，６５°＜β＜７５°，５０°＜γ＜６０°，４０°＜δ＜５０°としたことを特徴とする。
【００１５】
請求項３記載のＳＴＮタイプ液晶表示装置によれば、角度を夫々１０°＜α＜２０°，６５°＜β＜７５°，５０°＜γ＜６０°，４０°＜δ＜５０°としたので、コントラスト比を１５以上とすることができる。
【００１６】
請求項４記載のＳＴＮタイプ液晶表示装置は、請求項１記載のＳＴＮタイプ液晶表示装置において、前記角度を、夫々１０°＜α＜２５°，７０°＜β＜８５°，４５°＜γ＜７０°，４０°＜δ＜５５°としたことを特徴とする。
【００１７】
請求項４記載のＳＴＮタイプ液晶表示装置によれば、角度を夫々１０°＜α＜２５°，７０°＜β＜８５°，４５°＜γ＜７０°，４０°＜δ＜５５°としたので、コントラスト比を１５以上とすることができる。
【００１８】
請求項５記載のＳＴＮタイプ液晶表示装置は、請求項４記載のＳＴＮタイプ液晶表示装置において、前記角度を、夫々１５°＜α＜２５°，７５°＜β＜８５°，５０°＜γ＜６５°，４５°＜δ＜５５°としたことを特徴とする。
【００１９】
請求項５記載のＳＴＮタイプ液晶表示装置によれば、１５°＜α＜２５°，７５°＜β＜８５°，５０°＜γ＜６５°，４５°＜δ＜５５°としたので、コントラスト比を２０以上とすることができる。
【００２０】
上記目的を達成するために、請求項６記載のＳＴＮタイプ液晶表示装置は、所定のねじれ角θ及び所定の複屈折率Δｎ１を有するネマティック液晶、並びに該ネマティック液晶を厚みｄ１の間隙に挟持し且つ所定方向のラビング軸を夫々有する２枚の電極基板から成る液晶セルと、該液晶セルの外側において該電極基板の夫々に対向し且つ所定方向の吸収軸を有する表偏光板及び裏偏光板と、前記２枚の電極基板の外側において当該２枚の電極基板のいずれか一方に対向し且つ所定のレタデーションΔｎ２＊ｄ２、及び所定方向の光学軸を有する位相差板とを備え、前記ネマティック液晶のレタデーションΔｎ１＊ｄ１が８３５ｎｍ〜８６５ｎｍであって、該レタデーションΔｎ１＊ｄ１に対する前記位相差板のレタデーションΔｎ２＊ｄ２の比率が０．６７〜０．７３であるＳＴＮタイプ液晶表示装置において、前記ラビング軸がなす交差角のうち狭角側の交差角を等分する線分である基準線に対して、前記表偏光板の吸収軸がなす角の角度をα、前記裏偏光板の吸収軸がなす角の角度をβ、及び前記位相差板の光学軸がなす角の角度をγ、並びに前記表偏光板の吸収軸と当該表偏光板に対向する電極基板のラビング軸との交差角の角度をδとするとき、１０°＜α＜２０°，７０°＜β＜８０°，１５°＜γ＜５０°，４０°＜δ＜５０°としたことを特徴とするＳＴＮタイプ液晶表示装置。
【００２１】
請求項６記載のＳＴＮタイプ液晶表示装置によれば、ネマティック液晶のレタデーションΔｎ１＊ｄ１が８３５ｎｍ〜８６５ｎｍであって、該レタデーションΔｎ１＊ｄ１に対する前記位相差板のレタデーションΔｎ２＊ｄ２の比率が０．６７〜０．７３であるＳＴＮタイプ液晶表示装置において、基準線に対して、表偏光板の吸収軸がなす角の角度を１０°＜α＜２０°、裏偏光板の吸収軸がなす角の角度を７０°＜β＜８０°、及び位相差板の光学軸がなす角の角度を１５°＜γ＜５０°、並びに表偏光板の吸収軸と当該表偏光板に対向する電極基板のラビング軸との交差角の角度を４０°＜δ＜５０°としたので、近年主流となっているネマティック液晶及び位相差板を使用することができると共に、コントラスト比を、具体的には３０以上に向上させることができる。
【００２２】
請求項７記載のＳＴＮタイプ液晶表示装置は、請求項６記載のＳＴＮタイプ液晶表示装置において、前記比が０．６８〜０．７３であって、前記位相差板の光学軸がなす角の角度を、２０°＜γ＜４０°としたことを特徴とする。
【００２３】
請求項７記載のＳＴＮタイプ液晶表示装置によれば、レタデーションの比が０．６８〜０．７３であって、位相差板の光学軸がなす角の角度を２０°＜γ＜４０°としたので、コントラスト比を５０以上とすることができる。
【００２４】
請求項８記載のＳＴＮタイプ液晶表示装置は、請求項１乃至７のいずれか１項に記載のＳＴＮタイプ液晶表示装置において、前記裏偏光板側にバックライトを備えることを特徴とする。
【００２５】
請求項８記載のＳＴＮタイプ液晶表示装置によれば、裏偏光板側にバックライトを備えるので、当該ＳＴＮタイプ液晶表示装置は透過型となり、バックライトに応じた輝度を提供することができる。
【００２６】
請求項９記載のＳＴＮタイプ液晶表示装置は、請求項８記載のＳＴＮタイプ液晶表示装置において、前記バックライトは前記裏偏光板側に積層されたことを特徴とする。
【００２７】
請求項９記載のＳＴＮタイプ液晶表示装置によれば、バックライトが裏偏光板側に積層されたので、明るい透過光による表示を行うことができる。
【００２８】
請求項１０記載のＳＴＮタイプ液晶表示装置は、請求項８又は９記載のＳＴＮタイプ液晶表示装置において、前記バックライトの照射光は白色であることを特徴とする。
【００２９】
請求項１０記載のＳＴＮタイプ液晶表示装置によれば、バックライトの照射光が白色であるので、表示の色純度を向上させることができる。
【００３０】
請求項１１記載のＳＴＮタイプ液晶表示装置は、請求項８乃至１０のいずれか１項に記載のＳＴＮタイプの液晶表示装置において、前記バックライトと前記表偏光板との間において介在する三原色のカラーフィルターを備えることを特徴とする。
【００３１】
請求項１１記載のＳＴＮタイプ液晶表示装置によれば、バックライトと表偏光板との間において介在する三原色のカラーフィルターを備えるので、表示をカラーとすることができる。
【００３２】
請求項１２記載のＳＴＮタイプ液晶表示装置は、請求項１乃至７のいずれか１項に記載のＳＴＮタイプ液晶表示装置において、前記裏偏光板側に光反射板を備えることを特徴とする。
【００３３】
請求項１２記載のＳＴＮタイプ液晶表示装置によれば、裏偏光板側に光反射板を備えるので、当該ＳＴＮタイプ液晶表示装置は反射型となり、バックライトを備える透過型のものよりも小型化することができる。
【００３４】
請求項１３記載のＳＴＮタイプ液晶表示装置は、請求項１２記載のＳＴＮタイプ液晶表示装置において、前記光反射板は前記裏偏光板側に積層されたことを特徴とする。
【００３５】
請求項１３記載のＳＴＮタイプ液晶表示装置によれば、光反射板が裏偏光板側に積層されたので、明るい反射光による表示を行うことができる。
【００３６】
請求項１４記載のＳＴＮタイプ液晶表示装置は、請求項１２又は１３記載のＳＴＮタイプ液晶表示装置において、前記光反射板は可視光を反射することを特徴とする。
【００３７】
請求項１４記載のＳＴＮタイプ液晶表示装置によれば、光反射板が可視光を反射するので、カラー表示に好適なものとすることができる。
【００３８】
請求項１５記載のＳＴＮタイプ液晶表示装置は、請求項１乃至１４のいずれか１項に記載のＳＴＮタイプ液晶表示装置において、前記位相差板は高分子一軸延伸フィルムから成ることを特徴とする。
【００３９】
請求項１５記載のＳＴＮタイプ液晶表示装置によれば、位相差板が高分子一軸延伸フィルムから成るので、容易に入手することができる。
【００４０】
請求項１６記載のＳＴＮタイプ液晶表示装置は、請求項１乃至１５のいずれか１項に記載のＳＴＮタイプの液晶表示装置において、前記所定のねじれ角θは、２２０〜２５０°であることを特徴とする。
【００４１】
請求項１６記載のＳＴＮタイプ液晶表示装置によれば、所定のねじれ角θが２２０〜２５０°であるので、視野角を十分に確保することができる。
【００４２】
【発明の実施の形態】
本発明者は、上記目的を達成するために、鋭意研究を行った結果、所定のねじれ角θ及び所定の複屈折率Δｎ１を有するネマティック液晶、並びに該ネマティック液晶を厚みｄ１の間隙に挟持し且つ所定方向のラビング軸を夫々有する２枚の電極基板から成る液晶セルと、該液晶セルの外側において該電極基板の夫々に対向し且つ所定方向の吸収軸を有する表偏光板及び裏偏光板と、２枚の電極基板の外側において当該２枚の電極基板のいずれか一方に対向し且つ所定のレタデーションΔｎ２＊ｄ２、及び所定方向の光学軸を有する位相差板とを備え、ネマティック液晶のΔｎ１＊ｄ１が８３５ｎｍ〜８６５ｎｍであって、該レタデーションΔｎ１＊ｄ１に対する位相差板のレタデーションΔｎ２＊ｄ２の比率が０．６７〜０．７３であるＳＴＮタイプ液晶表示装置において、ラビング軸がなす交差角のうち狭角側の交差角を等分する線分である基準線に対して、表偏光板の吸収軸がなす角の角度を０°＜α＜２５°、裏偏光板の吸収軸がなす角の角度を６０°＜β＜８５°、及び位相差板の光学軸がなす角の角度を４５°＜γ＜７０°、並びに表偏光板の吸収軸と当該表偏光板に対向する電極基板のラビング軸との交差角の角度を３０°＜δ＜５５°とすると、近年主流となっているネマティック液晶及び位相差板を使用することができると共に、着色光の位相の十分な補正を行うことができると共に、コントラスト比を１０以上とすることができるのを見出した。
【００４３】
また、本発明者は、上記目的を達成するために、鋭意研究を行った結果、所定のねじれ角θ及び所定の複屈折率Δｎ１を有するネマティック液晶、並びに該ネマティック液晶を厚みｄ１の間隙に挟持し且つ所定方向のラビング軸を夫々有する２枚の電極基板から成る液晶セルと、該液晶セルの外側において該電極基板の夫々に対向し且つ所定方向の吸収軸を有する表偏光板及び裏偏光板と、２枚の電極基板の外側において当該２枚の電極基板のいずれか一方に対向し且つ所定のレタデーションΔｎ２＊ｄ２、及び所定方向の光学軸を有する位相差板とを備え、ネマティック液晶のΔｎ１＊ｄ１が８３５ｎｍ〜８６５ｎｍであって、該レタデーションΔｎ１＊ｄ１に対する位相差板のレタデーションΔｎ２＊ｄ２の比率が０．６７〜０．７３であるＳＴＮタイプ液晶表示装置において、ラビング軸がなす交差角のうち狭角側の交差角を等分する線分である基準線に対して、表偏光板の吸収軸がなす角の角度を１０°＜α＜２０°、裏偏光板の吸収軸がなす角の角度を７０°＜β＜８０°、及び位相差板の光学軸がなす角の角度を１５°＜γ＜５０°、並びに表偏光板の吸収軸と当該表偏光板に対向する電極基板のラビング軸との交差角の角度を４０°＜δ＜５０°としたので、近年主流となっているネマティック液晶及び位相差板を使用することができると共に、コントラスト比を、具体的には３０以上に向上させることができるのを見出した。
【００４４】
以下、本発明の実施の形態に係るＳＴＮタイプ液晶表示装置を図面を参照しながら説明する。
【００４５】
図１は、本発明の第１の実施の形態に係るＳＴＮタイプ液晶表示装置の構成図である。
【００４６】
図１において、第１の実施の形態に係るＳＴＮタイプ液晶表示装置１００は、ネマティック液晶１０及びネマティック液晶１０をセルギャップｄ１の間隙に挟持する２枚の電極基板２０，３０から成る液晶セル４０と、液晶セル４０の外側において表電極基板２０に対向する表偏光板５０（例えば、住友化学株式会社製ＳＱ−１８５２Ａ）と、液晶セル４０の外側において裏電極基板３０に対向する裏偏光板６０（例えば、住友化学株式会社製ＳＱ−１８５２Ａ）と、表電極基板２０の外側且つ表偏光板５０の内側において表電極基板２０に対向する位相差板７０と、裏偏光板６０の外側の面上に積層されたバックライト８０とを備える。
【００４７】
上記ＳＴＮタイプ液晶表示装置１００において、ネマティック液晶１０のレタデーションΔｎ１＊ｄ１は近年主流となっている８３５ｎｍ〜８６５ｎｍである。これは、レタデーションΔｎ１＊ｄ１の範囲が８３５ｎｍ〜８６５ｎｍから外れると黄みを生じ、コントラスト比が１０未満に低下するからである。
【００４８】
なお、コントラスト比は、透明電極に電圧を印加していない場合の可視光（波長３８０〜７８０ｎｍ）の透過率（２３％以上）（以下、「透過率Ｔｏｆｆ」という）に対する、電圧を３Ｖ印加した場合における可視光の透過率（以下、「透過率Ｔｏｎ」という）の比率である。例えば、透過率Ｔｏｎが２％と低いときは、コントラスト比が１０以上となり、また、透過率Ｔｏｎが高いときはコントラスト比が１０未満となる。
【００４９】
また、上記ＳＴＮタイプ液晶表示装置１００において、位相差板７０のΔｎ２＊ｄ２は近年主流となっている５７０ｎｍ〜６１０ｎｍである。これは、Δｎ２＊ｄ２の範囲が５７０ｎｍ〜６１０ｎｍから外れると、上記ネマティック液晶１０において黄みが生じてもその黄みを十分に補正することができなくなり、透過率Ｔｏｆｆが２３％未満に低下するからである。
【００５０】
即ち、着色光の位相の十分な補正を行うためには、ネマティック液晶のレタデーションΔｎ＊ｄに対する位相差板のレタデーションΔｎ＊ｄの比率（以下、「レタデーション比」という）の範囲は０．６７〜０．７３であることが前提となる。そのため、この範囲のレタデーション比を有するＳＴＮタイプ液晶表示装置１００のコントラスト比や透過率を制御するためには、上記レタデーション比以外のパラメータを考慮する必要がある。
【００５１】
このとき、ＳＴＮタイプ液晶表示装置１００において調整可能なパラメータは、ネマティック液晶１０が有するねじれ角θ１１（図２）、表電極基板２０が有するラビング軸の方向２１、裏電極基板３０が有するラビング軸の方向３１、表偏光板５０が有する吸収軸の方向５１、裏偏光板６０が有する吸収軸の方向６１、及び位相差板７０が有する光学軸の方向７１が挙げられる（図１及び図２）。
【００５２】
図２は、図１のＳＴＮタイプ液晶表示装置１００における各ラビング軸の方向や光学軸の方向や各吸収軸の方向等の相対関係を示す図である。
【００５３】
図２において、吸収軸の方向５１及びラビング軸の方向２１がなす交差角がδとされ、ラビング軸の方向２１及びラビング軸の方向３１の交差角のうち狭角側の交差角を等分する線分が基準線２２とされる。このとき、基準線２２の方向と表電極基板２０及び裏電極基板３０の長手方向とが一致するように、ラビング軸の方向２１及びラビング軸の方向３１は設定される。
【００５４】
バックライト８０からの光は、裏偏光板６０を透過することによって吸収軸の方向６１に偏光され、液晶セル４０によってさらにねじれ角θ１１だけ偏光され、表偏光板５０を透過することによって吸収軸の方向５１に偏光される。
【００５５】
さらに、基準線２２及び吸収軸の方向５１がなす角がαとされ、基準線２２及び吸収軸の方向６１がなす角がβとされ、基準線２２及び光学軸の方向７１がなす角がγとされる。
【００５６】
ＳＴＮタイプ液晶表示装置１００において、基準線２２とラビング軸の方向２１とがなす角は＋３０°であって、基準線２２とラビング軸の方向３１とがなす角は−３０°であるので、ねじれ角θ１１は２４０°となる。仮に、ねじれ角θ１１を２５０°にするには、基準線２２とラビング軸の方向２１とがなす角を＋３５°且つ基準線２２とラビング軸の方向３１とがなす角は−３５°とすればよい。
【００５７】
図１において、ネマティック液晶１０は、シクロヘキサン系液晶を主成分とし、且つキラル（ｃｈｉｒａｌ）剤としての少量の旋光性物質が添加された混合物であり、２２０〜２５０°の範囲から選択された所定のねじれ角θ、例えば２４０°及び所定の複屈折率Δｎ１、例えば０．１３３を有する。ネマティック液晶１０が、表電極基板２０及び裏電極基板３０により液晶セル４０におけるセルギャップｄ１、例えば６．４μｍである間隙に挟持されるとレタデーションΔｎ１＊ｄ１は８５１ｎｍとなる。このとき、ねじれ角θ１１が２２０〜２５０°であるので、視野角を十分に確保することができる。
【００５８】
位相差板７０は、高分子一軸延伸フィルム、例えばポリカーボネート一軸延伸位相差フィルム（住友化学株式会社製ＳＥＦ４６０５９５）から成り、所定のレタデーションΔｎ２＊ｄ２が５７０〜６１０ｎｍ、例えば５９５ｎｍである。位相差板７０は高分子一軸延伸フィルムから成るので、容易に入手することができる。
【００５９】
バックライト８０（例えば、白色蛍光灯光源）は、その照射光が輝度が高い白色である。これにより、表示の色純度を向上させることができる。また、バックライト８０は、裏偏光板６０の外側面上に積層されているので、明るい透過光による表示を行うことができる。さらに、ＳＴＮタイプ液晶表示装置１００がバックライト８０を備えるので、当該ＳＴＮタイプ液晶表示装置１００は透過型となり、バックライト８０に応じた輝度を提供することができる。
【００６０】
図３（ａ）〜図３（ｄ）は、レタデーション比０．６８〜０．７１である場合における上記α，β，γ、及びδの各々とコントラスト比との関係を示す図である。
【００６１】
図３（ａ）は、レタデーション比、β，γ、及びδが一定の場合におけるαとコントラスト比との関係を示す。当該関係より、０°＜α＜２５°であれば、コントラスト比を１０以上とすることができることが分かる。
【００６２】
図３（ｂ）は、レタデーション比、α，γ、及びδが一定の場合におけるβとコントラスト比との関係を示す。当該関係より、６０°＜β＜８５°であれば、コントラスト比を１０以上とすることができることが分かる。
【００６３】
図３（ｃ）は、レタデーション比、α，β、及びδが一定の場合におけるγとコントラスト比との関係を示す。当該関係より、４５°＜γ＜７０°であれば、コントラスト比を１０以上とすることができることが分かる。
【００６４】
図３（ｄ）は、レタデーション比、α，β、及びγが一定の場合におけるδとコントラスト比との関係を示す。当該関係より、３０°＜δ＜５５°であれば、コントラスト比を１０以上とすることができることが分かる。
【００６５】
従って、レタデーション比が０．６７〜０．７３であるＳＴＮタイプ液晶表示装置１００において、０°＜α＜２５°，６０°＜β＜８５°，４５°＜γ＜７０°，３０°＜δ＜５５°とすると、コントラスト比を１０以上とすることができる。
【００６６】
図１のＳＴＮタイプ液晶表示装置１００によれば、近年主流となっているネマティック液晶１０及び位相差板７０を使用することができ、レタデーション比が０．６７〜０．７３であるので、着色光の位相の十分な補正を行うことができると共に、０°＜α＜２５°、６０°＜β＜８５°、４５°＜γ＜７０°及び３０°＜δ＜５５°であるので、コントラスト比を１０以上とすることができる。
【００６７】
以下、上記液晶セル１０の製造工程を説明する。
【００６８】
上記液晶セル１０の製造では、まず、ＩＴＯ膜（錫含有酸化インジウム膜）で形成されたＩＴＯ透明電極が表面に形成されており、且つ厚み１．１ｍｍ、幅１００ｍｍ、長さ４０ｍｍの板状である２枚のＩＴＯ透明電極付きガラス基板である電極基板２０，３０を用意する。
【００６９】
ＩＴＯ透明電極が形成された面にポリイミド配向膜を塗布することにより、この電極基板２０，３０にポリイミド配向膜を形成する。該ポリイミド配向膜が形成されたＩＴＯ透明電極形成面を、ポリエステル繊維からできた布を貼付した回転ブラシを用いて一定方向（ラビング方向）にラビングする（ラビング法）ことにより、ＩＴＯ透明電極形成面に一定方向の、即ち所定の方向のラビング軸を与える配向溝（ラビング溝）を形成する配向処理を施す。
【００７０】
これらのラビング軸の夫々は、固有の軸方向であるラビング軸の方向２１及びラビング軸の方向３１を有する。このとき、電極基板２０，３０の夫々における配向溝は、上記吸収軸の方向５１及びラビング軸の方向２１の交差角δが３０°＜δ＜５５°、例えば４０°となるように形成される。
【００７１】
次いで、上記ＩＴＯ透明電極形成面が内側となるように２枚の電極基板２０，３０を、そのセルギャップ（間隙）ｄ１が例えば６μｍ確保されるように対向配置し、電極基板２０，３０の周辺部にエポキシ樹脂製のシール部材をスクリーン印刷法によって配置することにより、ネマティック液晶１０を注入可能なＳＴＮタイプの液晶セル４０を形成する。
【００７２】
その後、形成された液晶セル４０内部へネマティック液晶１０を注入する。その結果、２枚の電極基板２０，３０は、それらの間隙にネマティック液晶１０を挟持する。次いで、光硬化性のアクリル系樹脂の封止剤から成るシール材によりネマティック液晶１０の周縁部を密封する。
【００７３】
このとき、ネマティック液晶１０を構成する液晶分子はらせん状構造に配列するので、上記ネマティック液晶１０は所定のねじれ角θ１１を有する。例えば、基準線２２とラビング軸の方向２１とがなす角が＋３０°、基準線２２とラビング軸の方向３１とがなす角が−３０°、及び上記セルギャップｄ１が６μｍの場合には、ネマティック液晶１０が有するねじれ角θは２４０°となる。
【００７４】
その後、得られた液晶セル４０の表示側の面に位相差板７０を、上記ラビング軸の方向２１及びラビング軸の方向３１の交差角のうち狭角側の交差角を等分する基準線２２と光学軸の方向７１とがなす角であるγが４５°＜γ＜７０°、例えば５０°になるように液晶セル４０における表電極基板２０側の面上に接着剤により貼合わせる。また、位相差板７０における表示側の面上に表偏光板５０を、及び液晶セル４０における裏電極基板３０側の面上に裏偏光板６０を接着剤により貼合わせる。
【００７５】
このとき、基準線２２及び表偏光板５０の吸収軸の方向５１がなす角αが０°＜α＜２５°、例えば１０°とされ、基準線２２及び裏偏光板６０の吸収軸の方向６１がなす角βは６０°＜β＜８５°、例えば７０°とされ、液晶セル４０のレタデーションはΔｎ１＊ｄ１＝８４０〜８６０ｎｍ、例えば８５１ｎｍであり、位相差板７０のレタデーションはΔｎ２＊ｄ２＝５７０〜６１０ｎｍ、例えば５９５ｎｍである。従って、液晶セル４０のレタデーションΔｎ１＊ｄ１に対する位相差板７０のレタデーションΔｎ２＊ｄ２の比率であるレタデーション比は０．６７〜０．７３、例えば０．６９９である。
【００７６】
図４は、図１のＳＴＮタイプ液晶表示装置１００の可視光の透過色を示すＸＹＺ表色系色度図である。
【００７７】
このＸＹＺ表色系色度図において、分光光度計によって測定されるＳＴＮタイプ液晶表示装置１００の可視光の透過色が無着色を示す無着色領域Ａは、色度度座標ｘが０．３００〜０．３３０であって、色度度座標ｙが０．３１０〜０．３４０である。
【００７８】
また、液晶セル４０の可視光の透過色を示す領域は、色度度座標ｘが、例えば０．３２０であって、色度度座標ｙが、例えば０．３３４となり、図４における無着色領域Ａに内包される。すなわち、図１のＳＴＮタイプ液晶表示装置１００では、ＸＹＺ表色系色度図において無着色領域Ａの色度度座標ｘ及び色度度座標ｙの夫々とほぼ一致する色度度座標ｘ及び色度度座標ｙを有する透過色の可視光、換言すれば、透過色が無着色又は極めて薄い着色の可視光を表示することができる。従って、ＳＴＮタイプ液晶表示装置１００の表示を白色表示に近く、着色が大きく感じられないものとすることができる。
【００７９】
また、表電極基板２０及び裏電極基板３０における透明電極に電圧を、例えば３Ｖ印加したときには、電圧を印加した部分のみ液晶セル４０を透過する可視光をほとんどなくして黒色表示を行うことができる。
【００８０】
また、図１のＳＴＮタイプ液晶表示装置１００は、そのコントラスト比が１０〜２５程度、例えば１１と大きく、上述したように、その可視光は無着色又は極めて薄い透過色となるので、表示装置として実用的且つ必要な商品価値を具備している。
【００８１】
図１のＳＴＮタイプ液晶表示装置１００によれば、着色光の位相の十分な補正を行うことができるので、当該無彩色のＳＴＮタイプ液晶表示装置１００をカラー表示に好適なものとすることができる。
【００８２】
次に、本発明の第２の実施の形態を説明する。
【００８３】
第２の実施の形態に係るＳＴＮタイプ液晶表示装置１００は、図１のＳＴＮタイプ液晶表示装置１００に対して、着色を強く感じさせることなくコントラスト比をより向上させることにより、例えば白の背景色及び黒の表示色から成る２色表示に好適とされる点で異なる。
【００８４】
第２の実施の形態に係るＳＴＮタイプ液晶表示装置１００の構成は、図１におけるＳＴＮタイプ液晶表示装置１００の構成と同様であるので、同様な構成には同じ符号を付与しそれらの説明を省略する。
【００８５】
第２の実施の形態に係るＳＴＮタイプ液晶表示装置１００は、上述したα、β及びγの夫々が１０°＜α＜２０°，７０°＜β＜８０°，４０°＜δ＜５０°である。これにより、近年主流となっているネマティック液晶及び位相差板を使用することができると共に、着色光の位相の補正を行いつつコントラスト比を、具体的には３０以上に向上させることができる。これにより、ＳＴＮタイプ液晶表示装置１００を２色表示に好適なものとすることができる。
【００８６】
これに加えて、上述したレタデーション比が０．６８〜０．７３であって、上述したγを２０°＜γ＜４０°とすると、コントラスト比を５０以上とすることができる。これにより、ＳＴＮタイプ液晶表示装置１００を２色表示により好適なものとすることができ、特に、透過率Ｔｏｆｆが２３％以上である場合は、カラー表示に好適なものとすることができる。
【００８７】
上記第１及び第２の実施の形態に係るＳＴＮタイプ液晶表示装置１００では、裏偏光板６０の外側にバックライト８０が積層されるが、さらに、バックライト８０と表偏光板５０との間において、Ｒ（赤），Ｇ（緑），Ｂ（青）の三原色のカラーフィルター（不図示）が介在されてもよい。これにより、ＳＴＮタイプ液晶表示装置１００の表示をカラーとすることができる。ＳＴＮタイプ液晶表示装置１００の表示はノーマルホワイトモードとなる。
【００８８】
次に、本発明の第３の実施の形態を図面を用いて説明する。
【００８９】
図５は、本発明の第３の実施の形態に係るＳＴＮタイプ液晶表示装置１００の構成図である。
【００９０】
第３の実施の形態に係るＳＴＮタイプ液晶表示装置１００は、上記第１及び第２の実施の形態に係るＳＴＮタイプ液晶表示装置１００がバックライト８０を備えるのに対して、光反射板９０を備える点で異なる。
【００９１】
図５において、第３の実施の形態に係るＳＴＮタイプ液晶表示装置１００の構成は、図１におけるＳＴＮタイプ液晶表示装置１００の構成とほぼ同様であって、同様な構成には同じ符号を付与しそれらの説明を省略する。
【００９２】
上記光反射板９０は裏偏光板６０の外側の面上に貼合わされることによって積層される。光反射板９０が裏偏光板６０の外側に積層されたので、明るい反射光による表示を行うことができる。この光反射板９０は、樹脂基材９１と、該樹脂基材９１の上面に蒸着されたアルミニウム蒸着薄膜９２とから成り、該アルミニウム蒸着薄膜９２が可視光を反射することによりＳＴＮタイプ液晶表示装置１００の表示を可能とする。
【００９３】
図５のＳＴＮタイプ液晶表示装置１００によれば、光反射板９０を備えるので、当該ＳＴＮタイプ液晶表示装置１００は反射型となり、図１の透過型のものよりも小型化することができる。また、光反射板９０は裏偏光板６０の外側に貼合わされるので、明るい反射光による表示を行うことができる。さらに、光反射板９０が可視光を反射するので、ＳＴＮタイプ液晶表示装置１００を２色表示に好適なものとすることができる。２色表示に好適なＳＴＮタイプ液晶表示装置１００は、電源をＯＦＦにしたときにその表示がノーマルホワイトモードとなる。
【００９４】
上記第３の実施の形態に係るＳＴＮタイプ液晶表示装置１００では、裏偏光板６０の外側に光反射板９０が貼合わされるが、さらに、光反射板９０と表偏光板５０との間において、Ｒ，Ｇ，Ｂの三原色のカラーフィルターが介在されてもよい。これにより、ＳＴＮタイプ液晶表示装置１００の表示をカラーとすることができる。
【００９５】
また、光反射板９０における樹脂基材９１の上面に蒸着される金属は、可視光を反射可能であればいかなる金属であってもよい。
【００９６】
【実施例】
以下、本発明の実施例を説明する。
【００９７】
まず、本発明の第１の実施例を説明する。
【００９８】
本発明者は、第１の実施の形態に係るＳＴＮタイプ液晶表示装置１００について、レタデーションΔｎ１＊ｄ１、レタデーションΔｎ２＊ｄ２、及びレタデーション比、並びにα，β，γ、及びδが夫々異なる試験片を作製した（表１の実施例１〜４５及び比較例１〜１２）。なお、ネマティック液晶１０（シクロヘキサン系液晶）のレタデーションΔｎ１＊ｄ１は、液晶セル４０のセルギャップｄ１を変えることにより変更し、位相差板７０のレタデーションΔｎ２＊ｄ２は、位相差板７０の厚みｄ２の異なるものを使用することにより変更し、表偏光板５０及び裏偏光板６０の各吸収軸の方向５１，６１、並びに位相差板７０の光学軸の方向７１と、基準線２２がなす角の角度α，β，γ、並びに表偏光板５０の吸収軸の方向５１と当該表偏光板５０に対向する電極基板２０のラビング軸の方向２１との交差角の角度δは、夫々対応する表偏光板５０、裏偏光板６０、及び位相差板７０を液晶セル４０等に貼合わせるとき、それらの貼合わせ方向を調整することにより変更した。
【００９９】
そして、作製した試験片において着色光の位相の十分な補正を行うことができるか否かを研究した。具体的には、作製した試験片について透過率Ｔｏｆｆ、透過光のＸＹＺ表色系色度図における色度度座標ｘ及び色度度座標ｙ、並びにコントラスト比を夫々測定した。なお、いずれの実験片においても、液晶セル４０内のネマティック液晶１０のねじれ角θ１１は２２０〜２５０°の範囲内であった。
【０１００】
以下、測定結果を表１，表２に示す。
【０１０１】
【表１】
2004133139.tif 000003
【０１０２】
【表２】
2004133139.tif 000004
【０１０３】
表２から、αが０°（比較例４）のときは、透過率Ｔｏｆｆが２３％未満であり、コントラスト比が１０未満であり、ＳＴＮタイプ液晶表示装置１００の表示をカラー表示に好適なものとすることができず、当該表示のコントラスト比を向上させることができず、αが２５°以上（比較例７）のときは、色度度座標ｙが０．３４０より大きくなるので、当該表示に緑みをつけることが分かった。従って、少なくともαの範囲は０°＜α＜２５°とする必要があることが分かった。
【０１０４】
βが６０°以下（比較例１）のときは、コントラスト比が１０未満であり、当該表示のコントラスト比を向上させることができない一方、βが８５°以上（比較例２）のときは、透過率Ｔｏｆｆが２３％未満であるので、当該表示をカラー表示に好適なものとすることができないことが分かった。従って、少なくともβの範囲は６０°＜β＜８５°とする必要があることが分かった。
【０１０５】
γが４５°以下（比較例８）のときは、透過率Ｔｏｆｆが２３％未満であり、色度度座標ｙが０．３４０より大きくなるので、ＳＴＮタイプ液晶表示装置１００の表示をカラー表示に好適なものとすることができず、当該表示のコントラスト比を向上させることができず、さらに、当該表示に緑みをつける一方、γが７５°以上（比較例３）のときは、色度度座標ｘが０．３３０より大きく且つ色度度座標ｙが０．３４０より大きいので、当該表示に黄みをつけることが分かった。従って、γの範囲は４５°＜γ＜７０°とする必要があることが分かった。
【０１０６】
ネマティック液晶１０のレタデーションΔｎ１＊ｄ１が８３５〜８６５ｎｍｎｍの範囲から外れる（比較例９，１０）ときは、色度度座標ｘが０．３００より小さいので当該表示に青みをつけるか、又は色度度座標ｙが０．３４０より大きいので当該表示に緑みをつけることが分かった。例え、ネマティック液晶１０のレタデーションΔｎ１＊ｄ１が８４０〜８６０ｎｍの範囲内であっても、位相差板７０のレタデーションΔｎ２＊ｄ２が５７０〜６１０ｎｍの範囲を外れる（比較例１１，１２）ときは、色度度座標ｙが０．３４０より大きいので、当該表示に緑みをつけることが分かった。従って、レタデーションΔｎ１＊ｄ１は８４０〜８６０ｎｍの範囲内とすると共に、レタデーションｎ２＊ｄ２は５７０〜６１０ｎｍの範囲内とする必要があることが分かった。
【０１０７】
また、表１及び表２より、ネマティック液晶１０のレタデーションΔｎ１＊ｄ１が８３５〜８６５ｎｍであって、レタデーション比が０．６７〜０．７３のＳＴＮタイプ液晶表示装置１００において、０°＜α＜２５°，６０°＜β＜８５°，４５°＜γ＜７０°，３０°＜δ＜５５°とすれば、透過率Ｔｏｆｆは２３％以上、色度度座標ｘは０．３００≦ｘ≦０．３３０、色度度座標ｙは０．３３０≦ｙ≦０．３４０、及びコントラスト比は１０以上となり、ＳＴＮタイプ液晶表示装置１００において近年主流となっているネマティック液晶及び位相差板を使用することができ、着色光の位相の十分な補正を行うことができると共に、当該ＳＴＮタイプ液晶表示装置１００を着色を感じさせず且つカラー表示に好適なものとすることができることが分かった。さらに、透過率Ｔｏｆｆが２３％以上であって無着色のものであると鮮明となるので、第１の実施の形態に係るＳＴＮタイプ液晶表示装置１００をカラー表示に好適なものとすることができるのが分かった。
【０１０８】
次に、本発明の第２の実施例を説明する。
【０１０９】
本発明者は、第２の実施の形態に係るＳＴＮタイプ液晶表示装置１００について、レタデーションΔｎ１＊ｄ１、レタデーションΔｎ２＊ｄ２、及びレタデーション比、並びにα，β，γ、及びδが夫々異なる試験片を作製した（表２の実施例５０〜７０及び比較例２０〜２７）。α，β，γ、及びδは上述した第１の実施例と同様に、表偏光板５０、裏偏光板６０及び位相差板７０の貼り合わせ方向を調整することにより変更した。
【０１１０】
そして、作製した試験片においてコントラスト比を向上させることができることができるか否かを研究した。具体的には、作製した試験片について透過率Ｔｏｆｆ，色度度座標ｘ，色度度座標ｙ、及びコントラスト比を夫々測定した。
【０１１１】
以下、測定結果を表３，表４、及び測定結果の一部を図６に示す。
【０１１２】
【表３】
2004133139.tif 000005
【０１１３】
【表４】
2004133139.tif 000006
【０１１４】
表３及び表４から、ネマティック液晶１０のレタデーションΔｎ１＊ｄ１が８３５ｎｍ〜８６５ｎｍであって、レタデーション比が０．６７〜０．７３のＳＴＮタイプ液晶表示装置１００において、１０°＜α＜２０°，７０°＜β＜８０°，１５°＜γ＜５０°，４０°＜δ＜５０°とすれば、透過率Ｔｏｆｆは２０％以上且つコントラスト比は３０以上となり、ＳＴＮタイプ液晶表示装置１００において近年主流となっているネマティック液晶及び位相差板を使用しても着色光の位相の補正を行いつつコントラスト比を向上させることができ、ＳＴＮタイプ液晶表示装置１００を２色表示に好適なものとすることができることが分かった。
【０１１５】
また、表３及び図６（レタデーション比が夫々異なる実施例５０〜５４，５５〜５８，５９〜６４，６５〜７０）から、レタデーションの比が０．６８〜０．７３であって、２０°＜γ＜４０°（実施例５１〜５３，６０〜６２，６６〜６８）とすれば、コントラスト比が５０以上となるので、着色光の位相の補正を行いつつコントラスト比をより効果的に向上させることができることが分かった。さらに、透過率Ｔｏｆｆが２０％以上、好ましくは２３％以上であってコントラスト比を３０以上、好ましくは５０以上に向上させたものはカラー表示がより鮮明となるので、第２の実施の形態に係るＳＴＮタイプ液晶表示装置１００をカラー表示に好適なものとすることができるのが分かった。
【０１１６】
【発明の効果】
以上詳細に説明したように、請求項１記載のＳＴＮタイプ液晶表示装置によれば、ネマティック液晶のレタデーションΔｎ１＊ｄ１が８３５ｎｍ〜８６５ｎｍであって、該Δｎ１＊ｄ１に対する前記位相差板のレタデーションΔｎ２＊ｄ２の比率が０．６７〜０．７３であるＳＴＮタイプ液晶表示装置において、基準線に対して、表偏光板の吸収軸がなす角の角度を０°＜α＜２５°、裏偏光板の吸収軸がなす角の角度を６０°＜β＜８５°、及び位相差板の光学軸がなす角の角度を４５°＜γ＜７０°、並びに表偏光板の吸収軸と当該表偏光板に対向する電極基板のラビング軸との交差角の角度を３０°＜δ＜５５°としたので、近年主流となっているネマティック液晶及び位相差板を使用することができると共に、着色光の位相の十分な補正を行うことができる。また、コントラスト比を１０以上とすることができる。
【０１１７】
請求項２記載のＳＴＮタイプ液晶表示装置によれば、角度を夫々５°＜α＜１５°，７０°＜β＜８５°，４５°＜γ＜５５°，３５°＜δ＜４５°としたので、コントラスト比を１５以上とすることができる。
【０１１８】
請求項３記載のＳＴＮタイプ液晶表示装置によれば、角度を夫々１０°＜α＜２０°，６５°＜β＜７５°，５０°＜γ＜６０°，４０°＜δ＜５０°としたので、コントラスト比を１５以上とすることができる。
【０１１９】
請求項４記載のＳＴＮタイプ液晶表示装置によれば、角度を夫々１０°＜α＜２５°，７０°＜β＜８５°，４５°＜γ＜７０°，４０°＜δ＜５５°としたので、コントラスト比を１５以上とすることができる。
【０１２０】
請求項５記載のＳＴＮタイプ液晶表示装置によれば、１５°＜α＜２５°，７５°＜β＜８５°，５０°＜γ＜６５°，４５°＜δ＜５５°としたので、コントラスト比を２０以上とすることができる。
【０１２１】
以上詳細に説明したように、請求項６記載のＳＴＮタイプ液晶表示装置によれば、ネマティック液晶のΔｎ１＊ｄ１が８３５ｎｍ〜８６５ｎｍであって、該Δｎ１＊ｄ１に対する前記位相差板のレタデーションΔｎ２＊ｄ２の比率が０．６７〜０．７３であるＳＴＮタイプ液晶表示装置において、基準線に対して、表偏光板の吸収軸がなす角の角度を１０°＜α＜２０°、裏偏光板の吸収軸がなす角の角度を７０°＜β＜８０°、及び位相差板の光学軸がなす角の角度を１５°＜γ＜５０°、並びに表偏光板の吸収軸と当該表偏光板に対向する電極基板のラビング軸との交差角の角度を４０°＜δ＜５０°としたので、近年主流となっているネマティック液晶及び位相差板を使用することができると共に、コントラスト比を、具体的には３０以上に向上させることができる。
【０１２２】
請求項７記載のＳＴＮタイプ液晶表示装置によれば、レタデーションの比が０．６８〜０．７３であって、位相差板の光学軸がなす角の角度を２０°＜γ＜４０°としたので、コントラスト比を５０以上とすることができる。
【０１２３】
請求項８記載のＳＴＮタイプ液晶表示装置によれば、裏偏光板側にバックライトを備えるので、当該ＳＴＮタイプ液晶表示装置は透過型となり、バックライトに応じた輝度を提供することができる。
【０１２４】
請求項９記載のＳＴＮタイプ液晶表示装置によれば、バックライトが裏偏光板側に積層されたので、明るい透過光による表示を行うことができる。
【０１２５】
請求項１０記載のＳＴＮタイプ液晶表示装置によれば、バックライトの照射光が白色であるので、表示の色純度を向上させることができる。
【０１２６】
請求項１１記載のＳＴＮタイプ液晶表示装置によれば、バックライトと表偏光板との間において介在する三原色のカラーフィルターを備えるので、表示をカラーとすることができる。
【０１２７】
請求項１２記載のＳＴＮタイプ液晶表示装置によれば、裏偏光板側に光反射板を備えるので、当該ＳＴＮタイプ液晶表示装置は反射型となり、バックライトを備える透過型のものよりも小型化することができる。
【０１２８】
請求項１３記載のＳＴＮタイプ液晶表示装置によれば、光反射板が裏偏光板側に積層されたので、明るい反射光による表示を行うことができる。
【０１２９】
請求項１４記載のＳＴＮタイプ液晶表示装置によれば、光反射板が可視光を反射するので、２色表示に好適なものとすることができる。
【０１３０】
請求項１５記載のＳＴＮタイプ液晶表示装置によれば、位相差板が高分子一軸延伸フィルムから成るので、容易に入手することができる。
【０１３１】
請求項１６記載のＳＴＮタイプ液晶表示装置によれば、所定のねじれ角θが２２０〜２５０°であるので、視野角を十分に確保することができる。
【図面の簡単な説明】
【図１】本発明の第１の実施の形態に係るＳＴＮタイプ液晶表示装置の構成図である。
【図２】図１のＳＴＮタイプ液晶表示装置１００における各ラビング軸の方向や光学軸の方向や各吸収軸の方向等の相対関係を示す図である。
【図３】（ａ）〜（ｄ）は、レタデーション比０．６８〜０．７１である場合における図２におけるα，β，γ、及びδの各々とコントラスト比との関係を示す図である。
【図４】図１のＳＴＮタイプ液晶表示装置１００の可視光の透過色を示すＸＹＺ表色系色度図である。
【図５】本発明の第３の実施の形態に係るＳＴＮタイプ液晶表示装置１００の構成図である。
【図６】本発明の第２の実施例における測定結果を示す図である。
【符号の説明】
１０　ネマティック液晶
２０　表電極基板
３０　裏電極基板
４０　液晶セル
５０　表偏光板
６０　裏偏光板
７０　位相差板
８０　バックライト
９０　光反射板
１００　ＳＴＮタイプ液晶表示装置
【図１】
2004133139.tif 000007
【図２】
2004133139.tif 000008
【図３】
2004133139.tif 000009
【図４】
2004133139.tif 000010
【図５】
2004133139.tif 000011
【図６】
2004133139.tif 000012